(57)【要約】【課題】小型化が可能な発光装置を提供する。【解決手段】実施形態によれば、第１発光部と、第１ブロックと、を含む。第１発光部は、第１光を出射する。第１ブロックは、第２光を出射する第２発光部と、第３光を出射する第３発光部と、第１端部と第２端部とを含み第１光を透過し第２光を反射し第３光を透過する第１ダイクロイックミラーと、第３端部と第４端部とを含み第１光を透過し第２光を透過し第３光を反射する第２ダイクロイックミラーと、を含む。第１端部と第２端部とを結ぶ線分と、第３端部と第４端部とを結ぶ線分と、は、交差する。第１発光部の少なくとも一部は、第１端部と第３端部との間に配置される。第２発光部の少なくとも一部は、第１端部と第４端部との間に配置される。第３発光部の少なくとも一部は、第２端部と第３端部との間に配置される。【選択図】図１
2016062882.tif 000002
【特許請求の範囲】
【請求項１】
第１光を出射する第１発光部と、
第１ブロックと、
を備え、
前記第１ブロックは、
第２光を出射する第２発光部と、
第３光を出射する第３発光部と、
第１端部と第２端部とを含み前記第１光を透過し前記第２光を反射し前記第３光を透過する第１ダイクロイックミラーと、
第３端部と第４端部とを含み前記第１光を透過し前記第２光を透過し前記第３光を反射する第２ダイクロイックミラーと、
を含み、
前記第１端部と前記第２端部とを結ぶ線分と、前記第３端部と前記第４端部とを結ぶ線分と、は、交差し、
前記第１発光部の少なくとも一部は、前記第１端部と前記第３端部との間に配置され、
前記第２発光部の少なくとも一部は、前記第１端部と前記第４端部との間に配置され、
前記第３発光部の少なくとも一部は、前記第２端部と前記第３端部との間に配置された、発光装置。
【請求項２】
前記第１ダイクロイックミラーは、第１ミラー部と第２ミラー部とを含み、
前記第２ダイクロイックミラーは、第３ミラー部と第４ミラー部とを含み、
第１ミラー部は、前記第１端部と第５端部とを含み、
第２ミラー部は、前記第２端部と第６端部とを含み、
第３ミラー部は、前記第３端部と第７端部とを含み、
第４ミラー部は、前記第４端部と第８端部とを含み、
前記第５端部は、前記第６端部と対向し、
前記第７端部は、前記第８端部と対向する、請求項１記載の発光装置。
【請求項３】
前記第１発光部は、第１発光素子と、前記第１発光素子を覆うように設けられた第１光透過性部と、を含み、
前記第２発光部は、第２発光素子と、前記第２発光素子を覆うように設けられた第２光透過性部と、を含み、
前記第３発光部は、第３発光素子と、前記第３発光素子を覆うように設けられた第３光透過性部と、を含み、
前記第１光透過性部の先端部分は、前記第１端部と前記第３端部と前記第５端部と前記第７端部で形成される空間内に配置され、
前記第２光透過性部の先端部分は、前記第１端部と前記第４端部と前記第５端部と前記第８端部で形成される空間内に配置され、
前記第３光透過性部の先端部分は、前記第２端部と前記第３端部と前記第６端部と前記第７端部で形成される空間内に配置された、請求項１または２に記載の発光装置。
【請求項４】
前記第１発光部から前記第１ブロックに向かう第１方向において前記第１ブロックと並ぶ第２ブロックをさらに備え、
前記第２ブロックと前記第１発光部との間に、前記第１ブロックが配置され、
前記第２ブロックは、
第４光を出射する第４発光部と、  前記第１方向と交差する方向において前記第４発光部と並び第５光を出射する第５発光部と、
第９端部と第１０端部とを含み、前記第１光を透過し前記第２光を透過し前記第３光を透過し前記第４光を反射し前記第５光を透過する第３ダイクロイックミラーと、
第１１端部と第１２端部とを含み、前記第１光を透過し前記第２光を透過し前記第３光を透過し前記第４光を透過し前記第５光を反射する第４ダイクロイックミラーと、
をさらに備え、
前記第９端部と前記第１０端部とを結ぶ線分と、前記第１１端部と前記第１２端部とを結ぶ線分と、は、交差し、
前記第４発光部の少なくとも一部は、前記第９端部と前記第１２端部との間に配置され、
前記第５発光部の少なくとも一部は、前記第１０端部と前記第１１端部との間に配置された、請求項１〜３のいずれか１つに記載の発光装置。
【請求項５】
第３ブロックをさらに備え、
前記第３ブロックと前記第１発光部との間に、前記第１ブロック及び前記第２ブロックが配置され、
前記第３ブロックは、
第６光を出射する第６発光部と、
前記第１方向と交差する方向において前記第６発光部と並び第７光を出射する第７発光部と、
第１３端部と第１４端部とを含み、前記第１光を透過し前記第２光を透過し前記第３光を透過し前記第４光を透過し前記第５光を透過し前記第６光を反射し前記第７光を透過する第５ダイクロイックミラーと、
第１５端部と第１６端部とを含み、前記第１光を透過し前記第２光を透過し前記第３光を透過し前記第４光を透過し前記第５光を透過し前記第６光を透過し前記第７光を反射する第６ダイクロイックミラーと、
をさらに備え、
前記第１３端部と前記第１４端部とを結ぶ線分と、前記第１５端部と前記第１６端部とを結ぶ線分と、は、交差し、
前記第６発光部の少なくとも一部は、前記第１３端部と前記第１４端部との間に配置され、
前記第７発光部の少なくとも一部は、前記第１５端部と前記第１６端部との間に配置された、請求項４記載の発光装置。
【請求項６】
前記第１光は、緑色であり、
前記第２光は、青色であり、
前記第３光は、赤色である請求項１記載の発光装置。
【請求項７】
前記第１ミラー部は、
第１基板と、
前記第１基板の前記第１発光部側の面に設けられた第１光学膜と、
前記第１基板の前記第２発光部側の面に設けられた第２光学膜と、
前記第１基板の前記第５端部側の端面に設けられた第３光学膜と、
を含み、
前記第２光学膜の前記第２光に対する反射率は、前記第２光学膜の前記第１光に対する反射率よりも高く、前記第２光学膜の前記第３光に対する反射率よりも高く、
前記第１光学膜の前記第１光に対する反射率は、前記第２光学膜の前記第１光に対する反射率よりも低く、
前記第３光学膜の前記第１光に対する反射率は、前記第２光学膜の前記第１光に対する反射率よりも低く、
前記第２ミラー部は、
第２基板と、
前記第２基板の前記第３発光部側の面に設けられた第４光学膜と、
前記第２基板の前記第３発光部側の前記面の反対側の面に設けられた第５光学膜と、
前記第２基板の前記第６端部側の端面に設けられた第６光学膜と、
を含み、
前記第５光学膜の前記第２光に対する反射率は、前記第５光学膜の前記第１光に対する反射率よりも高く、前記第５光学膜の前記第３光に対する反射率よりも高く、
前記第６光学膜の前記第３光に対する反射率は、前記第６光学膜の前記第１光に対する反射率よりも高く、前記第６光学膜の前記第２光に対する反射率よりも高く、
前記第４光学膜の前記第３光に対する反射率は、前記第５光学膜の前記第３光に対する反射率および前記第６光学膜の前記第３光に対する反射率よりも低く、
前記第３ミラー部は、
第３基板と、
前記第３基板の前記第１発光部側の面に設けられた第７光学膜と、
前記第３基板の前記第３発光部側の面に設けられた第８光学膜と、
前記第３基板の前記第７端部側の端面に設けられた第９光学膜と、
を含み、
前記第８光学膜の前記第３光に対する反射率は、前記第８光学膜の前記第１光に対する反射率よりも高く、前記第８光学膜の前記第２光に対する反射率よりも高く、
前記第７光学膜の前記第１光に対する反射率は、前記第８光学膜の前記第１光に対する反射率よりも低く、
前記第９光学膜の前記第１光に対する反射率は、前記第８光学膜の前記第１光に対する反射率よりも低く、
前記第４ミラー部は、
第４基板と、
前記第４基板の前記第２発光部側の面に設けられた第１０光学膜と、
前記第４基板の前記第２発光部側の前記面の反対側の面に設けられた第１１光学膜と、
前記第４基板の前記第８端部側の端面に設けられた第１２光学膜と、
を含み、
前記第１１光学膜の前記第３光に対する反射率は、前記第１１光学膜の前記第１光に対する反射率よりも高く、前記第１１光学膜の前記第２光に対する反射率よりも高く、
前記第１２光学膜の前記第２光に対する反射率は、前記第１２光学膜の前記第１光に対する反射率よりも高く、前記第１２光学膜の前記第３光に対する反射率よりも高く、
前記第１０光学膜の前記第２光に対する反射率は、前記第１１光学膜の前記第２光に対する反射率および前記第１２光学膜の前記第２光に対する反射率よりも低い、請求項２記載の発光装置。
【請求項８】
前記第１光学膜の前記第２光に対する前記反射率は、前記第２光学膜の前記第２光に対する前記反射率よりも低く、
前記第１光学膜の前記第３光に対する前記反射率は、前記第２光学膜の前記第３光に対する前記反射率よりも低く、
前記第３光学膜の前記第２光に対する前記反射率は、前記第２光学膜の前記第２光に対する前記反射率よりも低く、
前記第３光学膜の前記第３光に対する前記反射率は、前記第２光学膜の前記第３光に対する前記反射率よりも低く、
前記第４光学膜の前記第１光に対する前記反射率は、前記第５光学膜の前記第１光に対する前記反射率および前記第６光学膜の前記第１光に対する前記反射率よりも低く、
前記第４光学膜の前記第２光に対する前記反射率は、前記第５光学膜の前記第２光に対する前記反射率および前記第６光学膜の前記第２光に対する前記反射率よりも低く、
前記第７光学膜の前記第２光に対する前記反射率は、前記第８光学膜の前記第２光に対する前記反射率よりも低く、
前記第７光学膜の前記第３光に対する前記反射率は、前記第８光学膜の前記第３光に対する前記反射率よりも低く、
前記第９光学膜の前記第２光に対する前記反射率は、前記第８光学膜の前記第２光に対する前記反射率よりも低く、
前記第９光学膜の前記第３光に対する前記反射率は、前記第８光学膜の前記第３光に対する前記反射率よりも低く、
前記第１０光学膜の前記第１光に対する前記反射率は、前記第１１光学膜の前記第１光に対する前記反射率および前記第１２光学膜の前記第１光に対する前記反射率よりも低く、
前記第１０光学膜の前記第３光に対する前記反射率は、前記第１１光学膜の前記第３光に対する前記反射率および前記第１２光学膜の前記第３光に対する前記反射率よりも低い、請求項７記載の発光装置。
【請求項９】
前記第１ダイクロイックミラーは、第１ミラー部を含み、
前記第１ミラー部は、
第１基板と、
前記第１基板の前記第１発光部側の面に設けられた第１光学膜と、
を含み、
前記第１光学膜は、誘電体多層膜を含み、
前記第１光の波長をλとし、
前記誘電体多層膜の屈折率をｎｚとし、
前記光学膜に入射する前記第１光の入射角をθとしたとき、
前記誘電体多層膜に設けられる膜厚周期は、λ／（４・ｎｚ・ｃｏｓθ）である請求項１記載の発光装置。
【発明の詳細な説明】
【技術分野】
【０００１】
本発明の実施形態は、発光装置に関する。
【背景技術】
【０００２】
例えば、発光ダイオード（ＬＥＤ）などを用いた発光装置が、例えば、表示装置や照明などの種々の用途に用いられている。発光装置において、高い輝度が求められている。それと同時に小型化が求められている。
【先行技術文献】
【特許文献】
【０００３】
【特許文献１】特開２００９−８６０５７号公報
【発明の概要】
【発明が解決しようとする課題】
【０００４】
本発明の実施形態は、小型化が可能な発光装置を提供する。
【課題を解決するための手段】
【０００５】
実施形態に係る発光装置は、第１発光部と、第１ブロックと、を含む。前記第１発光部は、第１光を出射する。前記第１ブロックは、第２光を出射する第２発光部と、第３光を出射する第３発光部と、第１端部と第２端部とを含み前記第１光を透過し前記第２光を反射し前記第３光を透過する第１ダイクロイックミラーと、第３端部と第４端部とを含み前記第１光を透過し前記第２光を透過し前記第３光を反射する第２ダイクロイックミラーと、を含む。前記第１端部と前記第２端部とを結ぶ線分と、前記第３端部と前記第４端部とを結ぶ線分と、は、交差する。前記第１発光部の少なくとも一部は、前記第１端部と前記第３端部との間に配置される。前記第２発光部の少なくとも一部は、前記第１端部と前記第４端部との間に配置される。前記第３発光部の少なくとも一部は、前記第２端部と前記第３端部との間に配置される。
【図面の簡単な説明】
【０００６】
【図１】第１の実施形態に係る発光装置を例示する模式図である。
【図２】第１の実施形態に係る発光装置を例示する模式図である。
【図３】第１の実施形態に係る発光装置の特性を例示するグラフ図である。
【図４】第１の実施形態に係る発光装置の特性を例示するグラフ図である。
【図５】第１の実施形態に係る発光装置の特性を例示するグラフ図である。
【図６】第２の実施形態に係る別の発光装置を例示する模式図である。
【図７】第３の実施形態に係る別の発光装置を例示する模式図である。
【図８】第４の実施形態に係る別の発光装置の例示する模式図である。
【図９】図９（ａ）及び図９（ｂ）は、第５の実施形態に係る別の発光装置を例示する模式図である。
【図１０】図１０（ａ）〜図１０（ｄ）は、第６の実施形態に係る発光装置を例示する模式図である。
【図１１】図１１（ａ）及び図１１（ｂ）は、第６の実施形態に係る発光装置の特性を例示するグラフ図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
図１は、第１の実施形態に係る発光装置を例示する模式図である。  
図１に示すように、本実施形態に係る発光装置１１０は、第１発光部１１と、第２発光部１２と、第３発光部１３と、第１ダイクロイックミラー２１と、第２ダイクロイックミラー２２と、を含む。第２発光部１２、第３発光部１３、第１ダイクロイックミラー２１及び第２ダイクロイックミラー２２は、第１ブロック３１０に含まれる。
【０００９】
ここで、第２発光部１２から第３発光部１３に向かう方向をＸ軸方向とする。Ｘ軸方向に対して垂直な１つの方向をＹ軸方向とする。Ｘ軸方向とＹ軸方向とに対して垂直な方向をＺ軸方向とする。
【００１０】
第１発光部１１は、第１発光素子１１ａと、第１光透過性部５７ａと、基板６１と、を含む。第２発光部１２は、第２発光素子１２ａと、第２光透過性部５７ｂと、基板６２と、を含む。第３発光部１３は、第３発光素子１３ａと、第３光透過性部５７ｃと、基板６３と、を含む。それぞれの基板の上に、発光素子が設けられ、その上に光透過性部が設けられている。すなわち、第１光透過性部５７ａは、第１発光素子１１ａと積層され、第２光透過性部５７ｂは、第２発光素子１２ａと積層され、第３光透過性部５７ｃは、第３発光素子１３ａと積層されている。この例では、第１光透過性部５７ａ、第２光透過性部５７ｂ及び第３光透過性部５７ｃは、半球状である。実施形態において、これらの光透過部は、砲弾状または多角柱状などでも良い。
【００１１】
この例において、第１発光部１１は、複数の第１発光素子１１ａを含み、第２発光部１２は、複数の第２発光素子１２ａを含み、第３発光部１３は、複数の第３発光素子１３ａを含む。
【００１２】
これらの発光素子には、例えば、ＬＥＤ（Ｌｉｇｈｔ  Ｅｍｉｔｔｉｎｇ  Ｄｉｏｄｅ：発光ダイオード）が用いられる。レーザ素子（例えば、Ｌａｓｅｒ  Ｄｉｏｄｅ：半導体レーザ）を用いても良い。面発光レーザ（ＶＥＣＳＥＬ）を用いても良い。この場合は、指向性があるため、ＬＥＤよりも光の利用効率が向上する。
【００１３】
第１発光素子１１ａは、第１光Ｌ１を出射する。第２発光素子１２ａは、第２光Ｌ２を出射する。第３発光素子１３ａは、第３光Ｌ３を出射する。それぞれの光が、光透過性部を通過して、それぞれの発光部から出射する。すなわち、第１発光部１１、第２発光部１２及び第３発光部１３から、それぞれ、第１光Ｌ１、第２光Ｌ２及び第３光Ｌ３が出射する。
【００１４】
一方、第１ダイクロイックミラー２１は、１つの平面（第１平面）に沿って広がる。第２ダイクロイックミラー２２は、別の１つの平面（第２平面）に沿って広がる。第１平面と第２平面とは、互いに交差する。例えば、第２平面は、第１平面に対して垂直である。第１ダイクロイックミラー２１は、第２ダイクロイックミラー２２と交差している。
【００１５】
すなわち、第１ダイクロイックミラー２１は、２つの端部（第１端部２１ａｅ及び第２端部２１ｂｅ）を有する。第２ダイクロイックミラー２２は、２つの端部（第３端部２２ａｅ及び第４端部２２ｂｅ）を有する。第１端部２１ａｅと第２端部２１ｂｅとを結ぶ線分と、第３端部２２ａｅと第４端部２２ｂｅとを結ぶ線分と、は、交差している。
【００１６】
第１発光部１１から出射された第１光Ｌ１は、第１ダイクロイックミラー２１と第２ダイクロイックミラー２２とを透過する。第１光Ｌ１は、出射方向Ｄｅに沿って進行する。第２発光部１２から出射された第２光Ｌ２は、第２ダイクロイックミラー２２を透過し、第１ダイクロイックミラー２１で反射する。反射した第２光Ｌ２は、出射方向Ｄｅに沿って進む。第３発光部１３から出射された第３光Ｌ３は、第１ダイクロイックミラー２１を透過し、第２ダイクロイックミラー２２によって反射する。反射した第３光Ｌ３は、出射方向Ｄｅに沿って進む。
【００１７】
第１発光部１１の一部（第１光透過性部５７ａ）は、第１端部２１ａｅと第３端部２２ａｅとの間に配置されている。第２発光部１２の一部（第２光透過性部５７ｂ）は、第１ミラー部２１ａの第１端部２１ａｅと第４ミラー部２２ｂの第４端部２２ｂｅとの間に配置されている。第３発光部１３の一部（第３光透過性部５７ｃ）は、第３ミラー部２２ａの第３端部２２ａｅと第２ミラー部２１ｂの第２端部２１ｂｅとの間に配置されている。  すなわち、発光部の少なくとも一部をダイクロイックミラーの端部どうしの間に配置して、ダイクロイックミラーに近接させる。
【００１８】
例えば、第１光透過性部５７ａの先端部分は、第１端部２１ａｅと第３端部２２ａｅと第５端部２１ａｆと第７端部２２ａｆで形成される空間内に配置され、第２光透過性部５７ｂの先端部分は、第１端部２１ａｅと第４端部２２ｂｅと第５端部２２ａｆと第８端部２２ｂｆで形成される空間内に配置され、第３光透過性部５７ｃの先端部分は、第２端部２１ｂｅと第３端部２２ａｅと第６端部２２ｂｆと第７端部２２ａｆで形成される空間内に配置されている。
【００１９】
これにより、発光装置１１０は、小型になる。本実施形態の発光装置は、例えば、小型の照明装置として用いることができる。
【００２０】
ダイクロイックミラーを用いた発光装置の参考例として、データ・ビデオプロジェクターの光学エンジンがある。データ・ビデオプロジェクタにおいては、画像を鮮明に表示するために、レンズを複数用いて並行光を作り出す。このための光学系により、データ・ビデオプロジェクタは、所定の大きさを有している。従って、データ・ビデオプロジェクタの小型化は、これら光学系で制限される。
【００２１】
これに対して、照明装置に対しては、小型化が特に有効である。本実施形態においては、発光部の少なくとも一部をダイクロイックミラーの端部どうしの間に配置する。これにより、小型化が可能になる。実施形態に係る発光装置は小型であることから、照明装置の他に様々な用途に用いることができる。
【００２２】
さらに、本実施形態においては、発光部が、ダイクロイックミラーに近接しているため、漏れ光が少なくなる。発光部がダイクロイックミラーから遠くはなれており、発光部から種々の方向に光が放出される場合は、その光の一部は漏れ光となり、利用できない。これに対して、実施形態においては、漏れ光が抑制でき、高い効率が得られる。
【００２３】
第１光Ｌ１と第２光Ｌ２と第３光Ｌ３とは、合成される。例えば、第１光Ｌ１は、緑色であり、第２光Ｌ２は、青色であり、第３光Ｌ３は、赤色である場合、合成光は、実質的に白色である。発光装置１１０を照明として用いる場合において、高い質の照明光が得られる。第１光Ｌ１〜第３光Ｌ３のそれぞれの強度を変更することで、種々の色が得られる。これにより、照明光の色を変更することができる。
【００２４】
さらに、発光部が、ダイクロイックミラーに近接していることにより、発光部として、光を種々の方向に出射する光源を使用することができる。光源として種々の発光体を用いることができる。実施形態によれば、光源の特性の自由度を拡大できる。
【００２５】
このように、本実施形態によれば、小型の発光装置を提供できる。そして、漏れ光を抑制し、高い効率が得られる。さらに、高い品質の種々の色の光が得られる。
【００２６】
実施形態において、第１ダイクロイックミラー２１は、第１ミラー部２１ａと第２ミラー部２１ｂとを含む。第１ミラー部２１ａと第２ミラー部２１ｂは、第１平面に沿って広がる。第１ミラー部２１ａは、第１端部２１ａｅと第５端部２１ａｆとを含む。第２ミラー部２１ｂは、第２端部２１ｂｅと第６端部２１ｂｆとを含む。第１端部２１ａｅと第２端部２１ｂｅとの間に、第５端部２１ａｆおよび第６端部２１ｂｆが配置される。
【００２７】
第２ダイクロイックミラー２２は、例えば、第３ミラー部２２ａと第４ミラー部２２ｂとを含む。第３ミラー部２２ａと第４ミラー部２２ｂは、第２平面に沿って広がる。第３ミラー部２２ａは、第３端部２２ａｅと第７端部２２ａｆとを含む。第４ミラー部２２ｂは、第４端部２２ｂｅと第８端部２２ｂｆとを含む。第３端部２２ａｅと第４端部２２ｂｅとの間に、第７端部２２ａｆおよび第８端部２２ｂｆが配置される。
【００２８】
第５端部２１ａｆは、第６端部２１ｂｆと対向する。第７端部２２ａｆは、第８端部２２ｂｆと対向する。第１端部２１ａｅと第２端部２１ｂｅとを結ぶ線分と、第３端部２２ａｅと第４端部２２ｂｅとを結ぶ線分と、は、例えば、直交する。
【００２９】
なお、第１ミラー部２１ａと第２ミラー部２１ｂとは、連続していても良く、離間しても良い。第３ミラー部２２ａと第４ミラー部２２ｂとは、連続していても良く、離間しても良い。
【００３０】
第１ミラー部２１ａと第２ミラー部２１ｂとが互いに接する、または、それらの間の距離が短いことで、第１ミラー部２１ａと第２ミラー部２１ｂとは一体的となり、第１ダイクロイックミラー２１は、１つの連続的なミラーとなる。第３ミラー部２２ａと第４ミラー部２２ｂとが互いに接する、または、それらの間の距離が短いことで、第３ミラー部２２ａと第４ミラー部２２ｂとは一体的となり、第２ダイクロイックミラー２２は、１つの連続的なミラーとなる。
【００３１】
実施形態において、光透過性部は、例えば、半球状またはドーム状である。光透過性部のそれぞれの表面は、砲弾状または凹状でも良い。光透過性部は、平板状でも良い。これにより、例えば、発光部から出射される光の放射角が調整される。
【００３２】
この例において、光透過性部のそれぞれは、ドーム状の外側部５８と、外側部５８の内部に設けられた内側部５６と、を含む。外側部５８は、例えば、ガラスを含む。内側部５６は、例えば、シリコーン充填剤を含む。
【００３３】
図２は、第１の実施形態に係る発光装置を例示する模式図である。  
図２は、第１ダイクロイックミラー２１および第２ダイクロイックミラー２２の例を示す。  
図２に例示するように、第１ダイクロイックミラー２１および第２ダイクロイックミラー２２においては、例えば、ガラス板上に設けられた光学膜が設けられる。
【００３４】
第１ミラー部２１ａは、第１基板２１ａｓと、第１光学膜７１と、第２光学膜７２と、第３光学膜７３と、を含む。
【００３５】
第１光学膜７１は、第１基板２１ａｓの第１発光部１１側の面に設けられている。第２光学膜７２は、第１基板２１ａｓの第２発光部１２側の面に設けられている。第３光学膜７３は、第１基板２１ａｓの第５端部２１ａｆ側の端面に設けられている。第２光学膜７２の第２光Ｌ２に対する反射率は、第２光学膜７２の第１光Ｌ１に対する反射率よりも高く、第２光学膜７２の第３光Ｌ３に対する反射率よりも高い。第１光学膜７１の第１光Ｌ１に対する反射率は、第２光学膜７２の第１光Ｌ１に対する反射率よりも低い。第３光学膜７３の第１光Ｌ１に対する反射率は、第２光学膜７２の第１光Ｌ１に対する反射率よりも低い。
【００３６】
第２ミラー部２１ｂは、例えば、第２基板２１ｂｓと、第４光学膜７４と、第５光学膜７５と、第６光学膜７６と、を含む。
【００３７】
第４光学膜７４は、第２基板２１ｂｓの第３発光部１３側の面に設けられている。第５光学膜７５は、第２基板２１ｂｓの第３発光部１３側の面の反対側の面に設けられている。第６光学膜７６は、第２基板２１ｂｓの第６端部２１ｂｆ側の端面に設けられている。第５光学膜７５の第２光Ｌ２に対する反射率は、第５光学膜７５の第１光Ｌ１に対する反射率よりも高く、第５光学膜７５の第３光Ｌ３に対する反射率よりも高い。第６光学膜７６の第３光Ｌ３に対する反射率は、第６光学膜７６の第１光Ｌ１に対する反射率よりも高く、第６光学膜７６の第２光Ｌ２に対する反射率よりも高い。第４光学膜７４の第３光Ｌ３に対する反射率は、第５光学膜７５の第３光Ｌ３に対する反射率および第６光学膜７６の第３光Ｌ３に対する反射率よりも低い。
【００３８】
第３ミラー部２２ａは、例えば、第３基板２２ａｓと、第７光学膜７７と、第８光学膜７８と、第９光学膜７９と、を含む。
【００３９】
第７光学膜７７は、第３基板２２ａｓの第１発光部１１側の面に設けられている。第８光学膜７８は、第３基板２２ａｓの第３発光部１３側の面に設けられている。第９光学膜７９は、第３基板２２ａｓの第７端部２２ａｆ側の端面に設けられている。第８光学膜７８の第３光Ｌ３に対する反射率は、第８光学膜７８の第１光Ｌ１に対する反射率よりも高く、第８光学膜７８の第２光Ｌ２に対する反射率よりも高い。第７光学膜７７の第１光Ｌ１に対する反射率は、第８光学膜７８の第１光Ｌ１に対する反射率よりも低い。第９光学膜７９の第１光Ｌ１に対する反射率は、第８光学膜７８の第１光Ｌ１に対する反射率よりも低い。
【００４０】
第４ミラー部２２ｂは、例えば、第４基板２２ｂｓと、第１０光学膜８０と、第１１光学膜８１と、第１２光学膜８２と、を含む。
【００４１】
第１０光学膜８０は、第４基板２２ｂｓの第２発光部１２側の面に設けられている。第１１光学膜８１は、第４基板２２ｂｓの第２発光部１２側の前記面の反対側の面に設けられている。第１２光学膜８２は、第４基板２２ｂｓの第８端部２２ｂｆ側の端面に設けられている。第１１光学膜８１の第３光Ｌ３に対する反射率は、第１１光学膜８１の第１光Ｌ１に対する反射率よりも高く、第１１光学膜８１の第２光Ｌ２に対する反射率よりも高い。第１２光学膜８２の第２光Ｌ２に対する反射率は、第１２光学膜８２の第１光Ｌ１に対する反射率よりも高く、第１２光学膜８２の第３光Ｌ３に対する反射率よりも高い。第１０光学膜８０の第２光Ｌ２に対する反射率は、第１１光学膜８１の第２光Ｌ２に対する反射率および第１２光学膜８２の第２光Ｌ２に対する反射率よりも低い。
【００４２】
第１光学膜７１の第２光Ｌ２に対する反射率は、第２光学膜７２の第２光Ｌ２に対する反射率よりも低くてもよい。第１光学膜７１の第３光Ｌ３に対する反射率は、第２光学膜７２の第３光Ｌ３に対する反射率よりも低くてもよい。
【００４３】
第３光学膜７３の第２光Ｌ２に対する反射率は、第２光学膜７２の第２光Ｌ２に対する反射率よりも低くてもよい。第３光学膜７３の第３光Ｌ３に対する反射率は、第２光学膜７２の第３光Ｌ３に対する反射率よりも低くてもよい。
【００４４】
第４光学膜７４の第１光Ｌ１に対する反射率は、第５光学膜７５の第１光Ｌ１に対する反射率および第６光学膜７６の第１光Ｌ１に対する反射率よりも低くてもよい。第４光学膜７４の第２光Ｌ２に対する反射率は、第５光学膜７５の第２光Ｌ２に対する反射率および第６光学膜７６の第２光Ｌ２に対する反射率よりも低くてもよい。
【００４５】
第７光学膜７７の第２光Ｌ２に対する反射率は、第８光学膜７８の第２光Ｌ２に対する反射率よりも低くてもよい。第７光学膜７７の第３光Ｌ３に対する反射率は、第８光学膜７８の第３光Ｌ３に対する反射率よりも低くてもよい。
【００４６】
第９光学膜７９の第２光Ｌ２に対する反射率は、第８光学膜７８の第２光Ｌ２に対する反射率よりも低くてもよい。第９光学膜７９の第３光Ｌ３に対する反射率は、第８光学膜７８の第３光Ｌ３に対する反射率よりも低くてもよい。
【００４７】
第１０光学膜８０の第１光Ｌ１に対する反射率は、第１１光学膜８１の第１光Ｌ１に対する反射率および第１２光学膜８２の第１光Ｌ１に対する反射率よりも低くてもよい。第１０光学膜８０の第３光Ｌ３に対する反射率は、第１１光学膜８１の第３光Ｌ３に対する反射率および第１２光学膜８２の第３光Ｌ３に対する反射率よりも低くてもよい。
【００４８】
第１基板２１ａｓ〜第４基板２２ｂｓは、光透過性である。これらの基板には、例えば、ガラス基板などが用いられる。
【００４９】
第１〜第１２光学膜７２としては、誘電体多層膜が用いられる。誘電体多層膜の反射率は、例えば、発光素子から出射された光が４５°で入射する時に最高となる。誘電体多層膜は、例えば、ＳｉＯ２膜と、ＺｒＯ膜と、含む。
【００５０】
誘電体多層膜において、複数の誘電体層が積層される。誘電体多層膜においては、屈折率が高いに異なる２つの材料の層が交互に積層される。積層の数は、例えば、２０である。実施形態において、積層の数は任意である。
【００５１】
以下、誘電体多層膜に含まれる層の厚さの例について説明する。  
例えば、赤色のピーク波長λＲを対象とする誘電体多層膜においては、屈折率ｎｌＲを有する第１材料の層と、屈折率ｎｌＲよりも高屈折率である屈折率ｎｈＲを有する第２材料の層と、が積層される。第１材料の層の厚さｄｌＲは、例えば、２１／２（λＲ／４）／ｎｌＲである。第２材料の層の厚さｄｈＲは、例えば、２１／２（λＲ／４）／ｎｈＲである。
【００５２】
緑色のピーク波長λＧを緑対象とする誘電体多層膜においては、屈折率ｎｌＧを有する第３材料の層と、屈折率ｎｌＧよりも高屈折率である屈折率ｎｈＧを有する第４材料の層と、が積層される。第３材料の層の厚さｄｌＧは、例えば、２１／２（λＧ／４）／ｎｌＧである。第４材料の層の厚さｄｈＧは、例えば、２１／２（λＧ／４）／ｎｈＧである。
【００５３】
青色のピーク波長λＢを対象とする誘電体多層膜においては、屈折率ｎｌＢを有する第５材料の層と、屈折率ｎｌＢよりも高屈折率である屈折率ｎｈＢを有する第６材料の層と、が積層される。第５材料の層の厚さｄｌＢは、例えば、２１／２（λＢ／４）／ｎｌＢである。第６材料の層の厚さｄｈＢは、例えば、２１／２（λＢ／４）／ｎｈＢである。
【００５４】
このように、屈折率の異なる材料の複数の層を交互に積層することで、対象とする光に対して、反射率を高くすることができる。誘電体多層膜において、例えば、ピーク波長を中心とした反射率の高い波長領域が得られる。
【００５５】
各層の厚さを適切に設定することで、反射率の高い波長領域の幅が設定できる。例えば、厚さｄｌＲおよび厚さｄｈＲを、前出の式において、中心波長λの値から適宜シフトさせて設定した複数層を加える。これにより、反射率の高い波長領域における反射率を、その波長領域以外における反射率の１／２０以上にできる。
【００５６】
反射率の高い波長領域以外の波長領域において、反射率を低くするために、多層膜における屈折率を徐々に変化させても良い。例えば、多層膜における屈折率を、膜厚方向に連続的且つ周期的に変化させる。屈折率分布の形状、すなわち、屈折率変化の包絡線形状は、膜厚方向における中央で高く周辺部で低い紡錘形とする。例えば紡錘形ルーゲート(ｒｕｇａｔｅ)構造を適用する。なお、ステップ型の屈折率分布であり、屈折率分布の包絡線が紡錘型である場合においても、十分な反射率と反射率のバンド幅とが得られる。
【００５７】
図３は、第１の実施形態に係る発光装置の特性を例示するグラフ図である。  
図３は、発光素子の強度と波長との関係を例示している。縦軸は、光の強度Ｉｎｔ（任意単位）である。横軸は、波長λ（ｎｍ：ナノメートル）である。
【００５８】
図３に示すように、第１光Ｌ１は、第１ピーク波長λｅ１を含み、第１バンド幅ＷＬ１を有する。第２光Ｌ２は、第２ピーク波長λｅ２を含み、第２バンド幅ＷＬ２を有する。第３光Ｌ３は、第３ピーク波長λｅ３を含み、第３バンド幅ＷＬ３を有する。これらのピーク波長は、互いに異なる。
【００５９】
これらの光は、例えば、可視光である。第１光Ｌ１は、例えば、緑色である。第２光Ｌ２は、例えば、青色である。第３光Ｌ３は、例えば、赤色である。これらの光は、不可視光線でもよい。
【００６０】
第１バンド幅ＷＬ１は、例えば２０ｎｍである。第２バンド幅ＷＬ２は、例えば３５ｎｍである。第３バンド幅ＷＬ３は、例えば２０ｎｍである。
【００６１】
図４は、第１の実施形態に係る発光装置の特性を例示するグラフ図である。  
図４は、第１ダイクロイックミラー２１と第２ダイクロイックミラー２２との特性を例示している。  
図４に示すように、第１ダイクロイックミラー２１は、第１反射波長領域Ｒｒ１を有している。第２ダイクロイックミラー２２は、第２反射波長領域Ｒｒ２を有している。第１反射波長領域Ｒｒ１の範囲の波長の光が、第１ダイクロイックミラー２１で反射される。第２反射波長領域Ｒｒ２の範囲の波長の光は、第２ダイクロイックミラー２２で反射される。第１ダイクロイックミラー２１及び第２ダイクロイックミラー２２において、光の入射角は４５°であり、出射角は４５°である。
【００６２】
第１反射波長領域Ｒｒ１は、例えば、４４５ｎｍ以上４６５ｎｍ以下である。第２反射波長領域Ｒｒ２は、例えば、６００ｎｍ以上６２０ｎｍ以下である。第１反射波長領域Ｒｒ１は、第２バンド幅ＷＬ２に対応する。これにより、第１ダイクロイックミラー２１は、第２光Ｌ２を反射する。第１光Ｌ１を透過する。第３光Ｌ３を透過する。第２反射波長領域Ｒｒ２は、第３バンド幅ＷＬ３に対応する。これにより、第２ダイクロイックミラー２２は、第３光Ｌ３を反射する。第１光Ｌ１を透過する。第２光Ｌ２を透過する。
【００６３】
半導体発光素子において、高効率化が求められ、光学損失の低減、光束発散度の増大が求められている。ＲＧＢ（赤色、緑色および青色）の光源を用いて、色を変化させることある。
【００６４】
ＣＯＢ（Chip on board）において、ＬＥＤチップ（例えば、赤色、緑色および青色の３種類等）が基板に実装される。ＣＯＢによれば、光束発散度が向上できる。
【００６５】
一方、均一な色を得るために、各ＬＥＤチップの発光光が混色されやすいように、各ＬＥＤチップが配置される。
【００６６】
赤色ＬＥＤには、例えば、ＩｎＧａＡｌＰ系の材料が用いられる。青色ＬＥＤや緑色ＬＥＤには、例えば、窒化物半導体が用いられる。赤色ＬＥＤにおいては、温度変化に対する効率の低下が大きい。このため、赤色ＬＥＤの効率は、青色ＬＥＤや緑色ＬＥＤの効率よりも低下する。赤色ＬＥＤチップを他のＬＥＤチップよりも冷却できるようにすることが望まれる。例えば、赤色ＬＥＤチップを、他のＬＥＤチップと離して設置することで、放熱性が向上できる可能性がある。しかしながら、この場合には、混色が困難になる。
【００６７】
実施形態によれば、高い混色性と、高い効率が得られる。そして、小型化が容易である。
【００６８】
実施の形態において、例えば、第１光Ｌ１が赤色であり、第２光Ｌ２が青色であり、第３光Ｌ３が緑色でもよい。
【００６９】
図５は、第１の実施形態に係る発光装置の特性を例示するグラフ図である。  
図５は、第１ダイクロイックミラー２１と第２ダイクロイックミラー２２との特性を例示している。  
図５に示すように、第１ダイクロイックミラー２１は、４４０ｎｍ以上４６０ｎｍ以下の範囲の第３反射波長領域Ｒｒ３（第２バンド幅ＷＬ２に対応）を有するようにしてもよい。第２ダイクロイックミラー２２は、４９０ｎｍ以上５５０ｎｍ以下の範囲の第４反射波長領域Ｒｒ４（第３バンド幅ＷＬ３に対応）を有するようにしてもよい。
【００７０】
これにより、第１ダイクロイックミラー２１は、第２光Ｌ２（青色）を反射する。第１光Ｌ１（赤色）を透過する。第３光Ｌ３（緑色）を透過する。第２ダイクロイックミラー２２は、第３光Ｌ３（緑色）を反射する。第１光Ｌ１（赤色）を透過する。第２光Ｌ２（青色）を透過する。
【００７１】
（第２の実施形態）  
図６は、第２の実施形態に係る別の発光装置を例示する模式図である。  
図６に示すように、発光装置１１１において、第１〜第３発光部１１〜１３と、第１ダイクロイックミラー２１と、第２ダイクロイックミラー２２と、に加えて、第４発光部１４と、第５発光部１５と、第３ダイクロイックミラー２３と、第４ダイクロイックミラー２４と、がさらに設けられる。第４発光部１４、第５発光部１５、第３ダイクロイックミラー２３及び第４ダイクロイックミラー２４は、第２ブロック３２０に含まれる。
【００７２】
第２ブロック３２０は、第１発光部１１から第１ブロックＢＬ１に向かう第１方向（Ｙ軸方向）において、第１ブロック３１０と並ぶ。第２ブロック３２０と第１発光部１１との間に、第１ブロック３１０が配置される。
【００７３】
第５発光部１５は、第１方向に対して交差する方向において第４発光部１４と並ぶ。
【００７４】
第４発光部１４は、第４発光素子１４ａと、第４光透過性部５７ｄと、基板６４と、を含む。第５発光部１５は、第５発光素子１５ａと、第５光透過性部５７ｅと、基板６４と、を含む。第４発光素子１４ａは、複数の第４発光素子１４ａを含む。第５発光部１５は、複数の第５発光素子１５ａを含む。
【００７５】
第４発光素子１４ａは、第４光Ｌ４を出射する。第４光Ｌ４は、第４ピーク波長λｅ４を含む。第５発光素子１５ａは、第５光Ｌ５を出射する。第５光Ｌ５は、第５ピーク波長λｅ５を含む。第４ピーク波長λｅ４は、第１〜第３ピーク波長λ１〜λｅ３および第５ピーク波長λｅ５とは異なる。第５ピーク波長λｅ５は、第１〜第４ピーク波長λｅ１〜λｅ４とは異なる。第４光Ｌ４および第５光Ｌ５は、可視光である。第４光Ｌ４は、例えば、シアン色である。第５光Ｌ５は、例えば、黄色である。
【００７６】
第３ダイクロイックミラー２３は、１つの平面（第３平面）に沿って広がる。第４ダイクロイックミラー２４は、別の１つの平面（第４平面）に沿って広がる。第３平面と第４平面とは、互いに交差する。例えば、第４平面は、第３平面に対して垂直である。
【００７７】
第３ダイクロイックミラー２３は、第５ミラー部２３ａと第６ミラー部２３ｂとを含む。第５ミラー部２３ａと第６ミラー部２３ｂは、第３平面に沿って広がる。第５ミラー部２３ａは、第９端部２３ａｅと第１３端部２３ａｆとを含む。第６ミラー部２３ｂは、第１０端部２３ｂｅと第１４端部２３ｂｆとを含む。第９端部２３ａｅと第１０端部２３ｂｅとの間に、第１３端部２３ａｆおよび第１４端部２３ｂｆが配置される。
【００７８】
第４ダイクロイックミラー２４は、例えば、第７ミラー部２４ａと第８ミラー部２４ｂとを含む。第７ミラー部２４ａと第８ミラー部２４ｂは、第４平面に沿って広がる。第７ミラー部２４ａは、第１１端部２４ａｅと第１５端部２４ａｆとを含む。第８ミラー部２４ｂは、第１２端部２４ｂｅと第１６端部２４ｂｆとを含む。第１１端部２４ａｅと第１２端部２４ｂｅとの間に、第１５端部２４ａｆおよび第１６端部２４ｂｆが配置される。
【００７９】
第１３端部２３ａｆは、第１４端部２３ｂｆと対向する。第１５端部２４ａｆは、第１６端部２４ｂｆと対向する。
【００８０】
第５ミラー部２３ａの第１３端部２３ａｆと第６ミラー部２３ｂの第１４端部２３ｂｆとを結ぶ線分と、第７ミラー部２４ａの第１５端部２４ａｆと第８ミラー部２４ｂの第１６端部２４ｂｆとを結ぶ線分と、は、交差（例えば直交）する。
第５ミラー部２３ａと第６ミラー部２３ｂとは一体的となり、第３ダイクロイックミラー２３は、１つの連続的なミラーとなる。第７ミラー部２４ａと第８ミラー部２４ｂとは一体的となり、第４ダイクロイックミラー２４は、１つの連続的なミラーとなる。
【００８１】
第３ダイクロイックミラー２３および第４ダイクロイックミラー２４として、誘電体多層膜が用いられる。第３ダイクロイックミラー２３と第４ダイクロイックミラー２４とは、実質的に隙間なく、配置される。
【００８２】
第３ダイクロイックミラー２３は、第５反射波長領域を有し、第４ダイクロイックミラー２４は、第６反射波長領域を有している。第３ダイクロイックミラー２３及び第４ダイクロイックミラー２４において、入射角は４５°であり出射角は４５°である。
【００８３】
第５反射波長領域は、例えば、４６０ｎｍ以上５１０ｎｍ以下である。第６反射波長領域は、例えば、５５０ｎｍ以上５９０ｎｍ以下である。これにより、第３ダイクロイックミラー２３は、第４光Ｌ４を反射する。第１〜３光Ｌ１〜Ｌ３および第５光Ｌ５を透過する。これにより、第４ダイクロイックミラー２４は、第５光Ｌ５を反射する。第１〜第４光Ｌ１〜Ｌ４を透過する。
【００８４】
図６に示したように、第４発光部１４の一部（第４光透過性部５７ｄ）は、第５ミラー部２３ａの第９端部２３ａｅと第８ミラー部２４ｂの第１２端部２４ｂｅとの間に配置される。第５発光部１５の一部（第５光透過性部５７ｅ）は、第７ミラー部２４ａの第１１端部２４ａｅと第６ミラー部２３ｂの第１０端部２３ｂｅとの間に配置される。発光装置１１１は、小型である。さらに、漏れ光が少なく、効率が高い。
【００８５】
第１光Ｌ１〜第５光Ｌ５とは、合成される。発光装置１１１を照明として用いる場合において、高い質の照明光が得られる。第１光Ｌ１〜第５光Ｌ５のそれぞれの強度を変更することで照明光の色を変更することができる。
【００８６】
（第３の実施形態）  
図７は、第３の実施形態に係る別の発光装置を例示する模式図である。  
図７に示すように、発光装置１１２において、第１〜第５発光部１１〜１５と、第１ダイクロイックミラー２１と、第２ダイクロイックミラー２２と、第３ダイクロイックミラー２３と、第４ダイクロイックミラー２４と、に加えて、第６発光部１６と、第７発光部１７と、第５ダイクロイックミラー２５と、第６ダイクロイックミラー２６と、がさらに設けられる。第６発光部１６、第７発光部１７、第５ダイクロイックミラー２５及び第６ダイクロイックミラー２６は、第３ブロック３３０に含まれる。
【００８７】
第３ブロック３３０と第１発光部１１との間に、第１ブロック３１０及び第２ブロック３２０が配置される。
【００８８】
第７発光部１７は、上記の第１方向（Ｙ軸方向）と交差する方向において、第６発光部１６と並ぶ。
【００８９】
第６発光部１６は、第６発光素子１６ａと、第６光透過性部５７ｆと、基板６６と、を含む。第７発光部１７は、第７発光素子１７ａと、第７光透過性部５７ｇと、基板６７と、を含む。第６発光部１６は、複数の第６発光素子１６ａを含む。第７発光部１７は、複数の第７発光素子１７ａを含む。
【００９０】
第６発光素子１６ａは、第６光Ｌ６を出射する。第６光Ｌ６は、第６ピーク波長λｅ６を含む。第７発光素子１７ａは、第７光Ｌ７を出射する。第７光Ｌ７は、第７ピーク波長λｅ７を含む。
【００９１】
第６ピーク波長λｅ６は、第１〜第５ピーク波長λｅ１〜λｅ５および第７ピーク波長λｅ７とは異なる。第７ピーク波長λｅ７は、第１〜第６ピーク波長λｅ１〜λｅ６とは異なる。第６光Ｌ６および第７光Ｌ７は、例えば、可視光である。第６光Ｌ６は、例えば、青紫色である。第７光Ｌ７は、例えば、深紅色である。
【００９２】
第６光透過性部５７ｆは、第６発光素子１６ａと積層されている。第７光透過性部５７ｇは、第７発光素子１７ａと積層されている。第６光透過性部５７ｆおよび第７光透過性部５７ｇは、透光性を有している。
【００９３】
第５ダイクロイックミラー２５は、１つの平面（第５平面）に沿って広がる。第６ダイクロイックミラー２６は、別の１つの平面（第６平面）に沿って広がる。第５平面と第６平面とは、互いに交差する。例えば、第６平面は、第５平面に対して垂直である。
【００９４】
第５ダイクロイックミラー２５は、例えば、第９ミラー部２５ａと第１０ミラー部２５ｂとを含む。第９ミラー部２５ａと第１０ミラー部２５ｂは、第５平面に沿って広がる。第９ミラー部２５ａは、第１７端部２５ａｅ（第１３端部）と第２１端部２５ａｆとを含む。第１０ミラー部２５ｂは、第１８端部２５ｂｅ（第１４端部）と第２２端部２５ｂｆとを含む。第１７端部２５ａｅと第１８端部２５ｂｅとの間に、第２１端部２５ａｆおよび第２２端部２５ｂｆが配置される。
【００９５】
第６ダイクロイックミラー２６は、例えば、第１１ミラー部２６ａと第１２ミラー部２６ｂとを含む。第１１ミラー部２６ａと第１２ミラー部２６ｂは、第６平面に沿って広がる。
【００９６】
第１１ミラー部２６ａは、第１９端部２６ａｅ（第１５端部）と第２３端部２６ａｆとを含む第１２ミラー部２６ｂは、第２０端部２６ｂｅ（第１６端部）と第２４端部２６ｂｆとを含む。第１９端部２６ａｅと第２０端部２６ｂｅとの間に、第２３端部２６ａｆおよび第２４端部２６ｂｆが配置される。
【００９７】
第２１端部２５ａｆは、第２２端部２５ｂｆと対向する。第２３端部２６ａｆは、第２４端部２６ｂｆと対向する。
【００９８】
第９ミラー部２５ａの第２１端部２５ａｆと第１０ミラー部２５ｂの第２２端部２５ｂｆとを結ぶ線分と、第１１ミラー部２６ａの第２３端部２６ａｆと第１２ミラー部２６ｂの第２４端部２６ｂｆとを結ぶ線分と、は、交差（直交）する。  
第９ミラー部２５ａと第１０ミラー部２５ｂとは一体的となり、第５ダイクロイックミラー２５は、１つの連続的なミラーとなる。第１１ミラー部２６ａと第１２ミラー部２６ｂとは一体的となり、第６ダイクロイックミラー２６は、１つの連続的なミラーとなる。
【００９９】
第５ダイクロイックミラー２５および第６ダイクロイックミラー２６として、誘電体多層膜が用いられる第５ダイクロイックミラー２５と第６ダイクロイックミラー２６とは、実質的に隙間なく、配置される。
【０１００】
第５ダイクロイックミラー２５は、第７反射波長領域を有し、第６ダイクロイックミラー２６は、第８反射波長領域を有している。第５ダイクロイックミラー２５及び第６ダイクロイックミラー２６において、入射角は４５°であり、出射角は４５°である。
【０１０１】
第７反射波長領域は、例えば、４００ｎｍ以上４４０ｎｍ以下の範囲である。第８反射波長領域は、例えば、６３０ｎｍ以上６６０ｎｍ以下の範囲である。第５ダイクロイックミラー２５は、第６光Ｌ６を反射する。第１〜５光Ｌ１〜Ｌ６および第７光Ｌ７を透過する。第６ダイクロイックミラー２６は、第７光Ｌ７を反射する。第１〜第６光Ｌ１〜Ｌ６を透過する。
【０１０２】
図７に示したように、第６発光部１６の一部（第４光透過性部５７ｄ）が、第９ミラー部２５ａの第１７端部２５ａｅと第１０ミラー部２５ｂの第１８端部２５ｂｅとの間に配置される。第７発光部１７の一部（第５光透過性部５７ｅ）は、第１１ミラー部２６ａの第１９端部２６ａｅと第１０ミラー部２５ｂの第１８端部２５ｂｅとの間に配置される。発光装置１１１は、小型である。漏れ光が少なく、効率が高い。
【０１０３】
第１光Ｌ１〜第７光Ｌ７は、合成される。発光装置１１２を照明として用いる場合において、高い質の照明光が得られる。第１光Ｌ１〜第７光Ｌ７のそれぞれの強度を変更することで、照明光の色を変更することができる。上記の第４〜第７発光素子には、例えば、ＬＥＤまたはレーザ素子が用いられる。
【０１０４】
（第４の実施形態）  
図８は、第４の実施形態に係る別の発光装置を例示する模式図である。  
図８に示すように、発光装置１１３においては、第１発光部１１、第２発光部１２及び第３発光部１３において、複数の光透過性部が設けられている。光透過性部は、マイクロレンズ状でも良い。光の放射角を調整することができる。光透過性部として、マイクロレンズアレイを用いてもよい。マイクロレンズアレイは、例えば、アクリル製である。発光素子とマイクロレンズアレイとの間は、例えば、シリコーンを充填する。この場合も、光の放射角を調整することができる。
【０１０５】
（第５の実施形態）
図９（ａ）および図９（ｂ）は、第５の実施形態に係る別の発光装置を例示する模式図である。  
図９（ａ）に示すように、発光装置１１４において、第１〜第３発光部１１〜１３、第１ダイクロイックミラー２１及び第２ダイクロイックミラー２２に加えて、ヒートシンク５９ａ〜５９ｃがさらに設けられる。これ以外は、発光装置１１０と同様である。  
図９（ｂ）は、分解斜視図であり、発光部と、ダイクロイックミラーと、の間の距離が拡大されて図示されている。
【０１０６】
この例において、ヒートシンク５９ａ〜５９ｃが、基板６１〜６３のそれぞれに取り付けられている。第１〜第３発光部１１〜１３において、高い放熱性が得られる。ヒートシンク５９の大きさは、発光部のそれぞれにおいて、発熱量に応じて変更しても良い。例えば、第１発光部１１の発熱量が大きい場合は、ヒートシンク５９ａを大きくする。
【０１０７】
ダイクロイックミラーは、可視光全体に対する低反射性を有していてもよい。望ましくは対抗する位置にある発光素子から出射される光の波長に対しては高反射でもよい。ダイクロイックミラーの基板は、保持部材などで保持される。保持部材には、ＡｇやＡｌ等の金属コーティングを設けても良い。誘電体多層膜による高反射膜を設けても良い。保持部材には、ヒートシンクを設けてもよい。発光素子の発熱がダイクロイックミラー及びヒートシンクを介して放熱される。ダイクロイックミラーの大きさは、例えば、発光部より大きくする。ダイクロイックミラーの大きさは、発光部からの光の放射角等に応じて決定してもよい。
【０１０８】
（第６の実施形態）
図１０（ａ）〜図１０（ｄ）は、第６の実施形態に係る発光装置の一部を例示する模式図である。  
本実施形態に係る発光装置１１５においても、第１発光部１１と、第１ブロック３１０（第２発光部１２、第３発光部１３、第１ダイクロイックミラー２１及び第２ダイクロイックミラー２２）と、が設けられる。これらの図は、このうちの１つのダイクロイックミラー（第２ダイクロイックミラー２２）と、発光部の１つ（第３発光部１３）と、の例を示している。図１０（ｂ）、図１０（ｃ）及び図１０（ｄ）は、図１０（ａ）の第１〜第３位置Ｐ１〜Ｐ３のそれぞれにおける拡大図である。
【０１０９】
図１０（ａ）では、第２ダイクロイックミラー２２の第３ミラー部２３ａが図示されている。第３発光部１２の第３発光素子１３ａから、の第３ミラー部２２ａに向けて、第３光Ｌ３が出射される。
【０１１０】
図１０（ｂ）〜図１０（ｄ）に示すように、第２ダイクロイックミラー２２の第３ミラー部２２ａには、第３基板２２ａｓと、第８光学膜７８と、が設けられる。第８光学膜７８は、第３基板２２ａｓの第３発光部１３側の面に設けられている。第８光学膜７８は、誘電体多層膜７８ａを含む。
【０１１１】
第３光Ｌ３の波長をλとし、誘電体多層膜７８ａの屈折率をｎｚとし、誘電体多層膜７８ａに入射する第３光Ｌ３の入射角をθとする。このとき、実施形態においては、誘電体多層膜７８ａに設けられる膜厚周期は、λ／（４・ｎｚ・ｃｏｓθ）とする。
【０１１２】
発光部から出射した光のダイクロイックミラーへの入射角θは、ダイクロイックミラー上の位置で変わる。第１〜第３位置Ｐ１〜Ｐ３において、第３光Ｌ３は、第１〜第３入射角θ１〜θ３でそれぞれ入射する。実施形態においては、ダイクロイックミラー上の位置に応じて、誘電体多層膜７８ａの膜厚周期を変える。例えば、誘電体多層膜７８ａの膜厚を、誘電体多層膜７８ａに沿う方向（Ｄａ方向）に沿って、薄くする。これにより、入射角θのそれぞれにおいて高い反射特性が得られる。
【０１１３】
図１１（ａ）及び図１１（ｂ）は、第６の実施形態に係る発光装置の特性を例示するグラフ図である。  
これらの図は、第２ダイクロイックミラー２２によって反射された光の、照度面内での強度分布を例示している。図１１（ａ）は、図１０（ａ）〜図１０（ｄ）に示した発光装置１１５の第２ダイクロイックミラー２２の特性を示す。図１１（ｂ）は、誘電体多層膜７８ａの膜厚周期が一定である発光装置１９１における特性を示している。これらの図において、縦軸は光の反射強度Ｉｎｔ（任意単位）である。横軸は、入射角θ（°）である。
【０１１４】
図１１（ｂ）に示すように、誘電体多層膜７８ａの膜厚周期が一定の場合は、所定の入射角θａに対して反射強度Ｉｎｔの分布は大きく、ブロードである。反射強度Ｉｎｔは、所定の入射角θａに対して非対称である。
【０１１５】
これに対して、図１１（ａ）に示すように、誘電体多層膜７８ａの膜厚周期を入射角θに応じて変化させる場合には、反射強度Ｉｎｔの分布は小さくなる。反射強度Ｉｎｔは、所定の入射角θａに対して対称であり、所定の入射角θａの近傍において、高い反射強度Ｉｎｔが得られる。これにより、発光装置の実用性が向上する。
【０１１６】
実施形態において、他のダイクロイックミラーにおいても、誘電体多層膜７１ａの膜厚周期を入射角θに応じて変化させても良い。
【０１１７】
実施形態によれば、小型化が可能な発光装置が提供できる。
【０１１８】
以上、具体例を参照しつつ、本発明の実施の形態について説明した。しかし、本発明は、これらの具体例に限定されるものではない。例えば、発光装置に含まれる発光素子、発光部、ダイクロイックミラー、ヒートシンクおよび基板などの各要素の具体的な構成に関しては、当業者が公知の範囲から適宜選択することにより本発明を同様に実施し、同様の効果を得ることができる限り、本発明の範囲に包含される。
【０１１９】
また、各具体例のいずれか２つ以上の要素を技術的に可能な範囲で組み合わせたものも、本発明の要旨を包含する限り本発明の範囲に含まれる。
【０１２０】
本発明の実施の形態として上述した発光装置を基にして、当業者が適宜設計変更して実施し得る全ての発光装置も、本発明の要旨を包含する限り、本発明の範囲に属する。
【０１２１】
その他、本発明の実施の形態として上述した発光装置を基にして、当業者が適宜設計変更して実施し得る全ての発光装置も、本発明の要旨を包含する限り、本発明の範囲に属する。
【０１２２】
その他、本発明の思想の範疇において、当業者であれば、各種の変更例および修正例に想到し得るものであり、それら変更例および修正例についても本発明の範囲に属するものと了解される。
【０１２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２４】
１１〜１７…第１〜第７発光部、  １１ａ〜１７ａ…第１〜第７発光素子、  ２１〜２６…第１〜第６ダイクロイックミラー、  ２１ａ…第１ミラー部、  ２１ｂ…第２ミラー部、  ２２ａ…第３ミラー部、  ２２ｂ…第４ミラー部、  ２３ａ…第５ミラー部、  ２３ｂ…第６ミラー部、  ２４ａ…第７ミラー部、  ２４ｂ…第８ミラー部、  ２５ａ…第９ミラー部、  ２５ｂ…第１０ミラー部、  ２６ａ…第１１ミラー部、  ２６ｂ…第１２ミラー部、  ２１ａｓ、２２ａｓ、２１ｂｓ、２２ｂｓ…基板、  ２１ａｅ〜２６ａｅ、２１ａｆ〜２６ａｆ…端部、  ５６…内側部、  ５７ａ〜５７ｇ…第１〜第７光透過性部、  ５８…外側部、  ５９ａ〜５９ｃ…ヒートシンク、  ６１〜６７…基板、  ７１〜８２…第１〜第１２光学膜、  ７８ａ…誘電体多層膜、  １１０〜１１５、１９１…発光装置、  ３１０、３２０、３３０…第１〜第３ブロック、  λ…波長、  Δλ１…波長幅、  λｅ１〜λｅ３…第１〜第３ピーク波長、  θ１〜θ３…第１〜第３入射角、  １１０〜１１４…発光装置、  Ｄａ…方向、  Ｄｅ…出射方向、  ＥＬ１〜ＥＬ３…第１〜第３層発光部、  Ｉｎｔ…強度、  Ｌ１〜Ｌ７…第１〜第７光、  Ｐ１〜Ｐ３…第１〜第３位置、  Ｒｒ１〜Ｒｒ４…第１〜第４反射波長領域、  ＷＬ１〜ＷＬ３…第１〜第３バンド幅
【図１】
2016062882.tif 000003
【図２】
2016062882.tif 000004
【図３】
2016062882.tif 000005
【図４】
2016062882.tif 000006
【図５】
2016062882.tif 000007
【図６】
2016062882.tif 000008
【図７】
2016062882.tif 000009
【図８】
2016062882.tif 000010
【図９】
2016062882.tif 000011
【図１０】
2016062882.tif 000012
【図１１】
2016062882.tif 000013